(57)【要約】　　　（修正有）【課題】折り畳み可能なプラスチック製の物品収納用コンテナであって、組立の容易性、密閉性等を確保したうえで折り畳み時の縮小率を向上し得る折り畳みコンテナを提供する。【解決手段】四側辺を有する底板と、内側に傾倒し底板上に重合可能なように軸支した先倒側板３と、他方の対向辺の内側に傾倒し先倒側板上に重合可能なように軸支した後倒側板７とからなり、先倒側板の横幅を両後倒側板の内法より僅かに狭くすることで先倒側板の傾倒時の後倒側板との摩擦を軽減させるとともに、後倒側板の両端縁部に凸条１４を形成することで先倒側板を起立させたときの先倒側板との隙間が埋められるようにした折り畳みコンテナにおいて、先倒側板の外面下縁部１７を切欠することで先倒側板を傾倒したときに外面下縁部が底板の対向辺の高さと同等または低くなるように設定し、後倒側板を傾倒したとき凸条が底板の対向辺上から先倒側板の切欠に亘って収まるようにした。【選択図】　図２
2004051116.tif 000002
【特許請求の範囲】
【請求項１】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、先倒側板の横幅を両後倒側板の内法よりも僅かに狭くすることで該先倒側板の傾倒時の後倒側板の内面との摩擦を軽減させるとともに、該後倒側板の内面の両端縁部に凸条を形成することで先倒側板を起立させたときの該先倒側板の両端縁との隙間が埋められるようにした折り畳みコンテナにおいて、前記先倒側板の外面下縁部を長手方向に沿い切欠することで該先倒側板を内側に傾倒したときに該先倒側板の外面下縁部が該先倒側板を軸支する前記底板の対向辺の高さと同等または低くなるように設定し、前記後倒側板を傾倒したとき前記凸条が該底板の対向辺上から該先倒側板の該切欠に亘って収まるようにしたことを特徴とする折り畳みコンテナ。
【請求項２】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、先倒側板の横幅を両後倒側板の内法よりも僅かに狭くすることで該先倒側板の傾倒時の後倒側板の内面との摩擦を軽減させるとともに、該後倒側板の内面の両端縁部に凸条を形成することで先倒側板を起立させたときの該先倒側板の両端縁との隙間が埋められるようにした折り畳みコンテナにおいて、凸条の下縁内側を傾斜面状または球面状に形成することで先倒側板を起立させる際の引っ掛かりが避けられるようにしたことを特徴とする折り畳みコンテナ。
【発明の詳細な説明】
【０００１】
【発明の属する技術分野】
本発明は折り畳み可能なプラスチック製の物品収納用コンテナの構造に関するものである。
【０００２】
【従来の技術】
折り畳むことによって容積を縮小できるプラスチック製の物品収納用コンテナは、従来から特開２００２−１０４４０５号公報，特開２００２−１０４４０７号公報，特開２００２−２６９６号公報等により知られているように、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなるものである。
【０００３】
【発明が解決しようとする課題】
ところで、従来から上記折り畳みコンテナでは、先倒側板の横幅を両後倒側板の内法よりも僅かに狭くすることで該先倒側板の傾倒時の後倒側板の内面との摩擦を軽減させ組み立てを容易ならしめるとともに、該後倒側板の内面の両端縁部に凸条を形成することで先倒側板を起立させたときの該先倒側板の両端縁との隙間が埋められるようにし組み立て時の密閉性が損なわれないようにしている。
【０００４】
しかしながら上記のように構成されたコンテナでは、上記凸条が折り畳み時に先倒側板の上に載ってしまうので、折り畳み高さを充分に小さくできないという問題があった。
また、先倒側板を起立させる際に上記凸条の下縁部が引っ掛かり易く、組立の邪魔になることも分かった。
そこで本発明は、上記課題を解決し、組立の容易性、密閉性等を確保したうえで折り畳み時の縮小率を向上し得る折り畳みコンテナを提供しようとするものである。
【０００５】
【課題を解決するための手段】
そのために本発明は、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、先倒側板の横幅を両後倒側板の内法よりも僅かに狭くすることで該先倒側板の傾倒時の後倒側板の内面との摩擦を軽減させるとともに、該後倒側板の内面の両端縁部に凸条を形成することで先倒側板を起立させたときの該先倒側板の両端縁との隙間が埋められるようにした折り畳みコンテナにおいて、前記先倒側板の外面下縁部を長手方向に沿い切欠することで該先倒側板を内側に傾倒したときに該先倒側板の外面下縁部が該先倒側板を軸支する前記底板の対向辺の高さと同等または低くなるように設定し、前記後倒側板を傾倒したとき前記凸条が該底板の対向辺上から該先倒側板の該切欠に亘って収まるようにしたことを特徴とする。
また本発明は、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、先倒側板の横幅を両後倒側板の内法よりも僅かに狭くすることで該先倒側板の傾倒時の後倒側板の内面との摩擦を軽減させるとともに、該後倒側板の内面の両端縁部に凸条を形成することで先倒側板を起立させたときの該先倒側板の両端縁との隙間が埋められるようにした折り畳みコンテナにおいて、凸条の下縁内側を傾斜面状または球面状に形成することで先倒側板を起立させる際の引っ掛かりが避けられるようにしたことを特徴とする。
【０００６】
【発明の実施の形態】
次に図面に従い本発明の実施の形態を説明する。図１は本発明に係る折り畳みコンテナの斜視図、図２はその折り畳み途中の斜視図、図３はその折り畳み状態の斜視図、図４はその底板の斜視図である。プラスチックの射出成形によって一体に形成された底板１は、四側辺１ａ〜１ｄを有し、その一方の対向辺１ａ，１ｃに軸受部２を形成し、該軸受部２に先倒側板３の下縁に突設した支軸４を回転自在に軸支することで、該先倒側板３を内側に傾倒し該底板上に重合可能なるように支持している。また該底板１の他方の対向辺１ｂ，１ｄには該先倒側板３の厚さ相当分の起立壁５を一体に形成し該起立壁の上縁に軸受部６を形成し、該軸受部６に後倒側板７の下縁に突設した支軸８を回転自在に軸支することで、該後倒側板７を内側に傾倒し前記先倒側板３上に重合可能なるように支持している。なお、底板１の下面には補強リブ９が格子状に形成されている。また、先倒側板３および後倒側板７は、夫々外面に補強リブ１０，１１を額縁状に形成することで積重時の荷重に耐え得る補強がされている。
【０００７】
また、図５，図７の断面図にも示されるように、先倒側板３の両端縁に該先倒側板の外面より凹窪した凹窪面１２を形成し、該各凹窪面に複数の係合爪１３を突設し、また、後倒側板の両端には内側に鉤状に折れ曲がる凸条１４を形成し、該凸条１４に内向耳片１５を形成し、該内向耳片に前記係合爪１３が係合する透孔１６を形成している。
【０００８】
また、２０は後倒側板７の両端部にコ字状スリット２１を形成することで形成され内側に楔状に突出する弾性爪片で、後倒側板７を起立させた後に先倒側板３を起立させる途中に該先倒側板３の両端縁が該弾性爪片２０をいったん外側に押圧し該先倒側板３を垂直に起立させたとき該弾性爪片が弾性復元し該先倒側板の両端縁に係合することで該先倒側板３および後倒側板７を起立状態に保持させるものである。
【０００９】
また、先倒側板３の外面下縁部１７を長手方向に沿い切欠し、該先倒側板を図８に示したように内側に傾倒したときに該外面下縁部１７が該先倒側板３を軸支する底板１の対向辺１ａ，１ｃの高さと同等または低くなるように設定する。そして図９に示したように、後倒側板７を傾倒したときその凸条１４が該底板１の対向辺１ａ，１ｃ上から該先倒側板の該外面下縁部１７の切欠に亘って収まるようにする。
【００１０】
また、凸条１４の下縁内側１８は傾斜面状または球面状に形成し、先倒側板３を起立させる際に該先倒側板３が該下縁内側１８に引っ掛かることなく常にスムースに起立できるようにしている。
【００１１】
なお、２２は先倒側板３を軸支している底板１の対向辺の両端部に延設された小起立リブで、該小起立リブは先倒側板３を起立させたときに該先倒側板３の両端縁下部前面２３に当接する。なお、該小起立リブ２２の内面に相対している該先倒側板３の両端縁下部前面２３は補強リブ１０の起立高を他部分よりも低く形成することで、該小起立リブ２２との衝突が避けられ該先倒側板３を起立できるようにしている。また、後倒側板７を内側に傾倒させたとき該後倒側板の両端縁下部内面２４が小起立リブ２２に衝突するのを避けるために該両端縁下部内面２４は凹窪状に形成されている。
【００１２】
このように構成した折り畳みコンテナでは、後倒側板７を起立させた後に先倒側板３を起立させれば、該先倒側板３の両端縁が弾性爪片２０を自然と外側に押圧し該弾性爪片が該先倒側板の両端縁に係合するとともに、内向耳片１５が凹窪面１２に重合し該内向耳片１５に形成された係合爪１３が透孔１６に係合することにより、後倒側板７と先倒側板３とがワンタッチで確実に連結され、簡単にして強固に組み立てられる。また折り畳むに際しては、弾性爪片２０を押圧することで先倒側板３との係合を外して該先倒側板を内側に傾倒し底板１上に重合した後、後倒側板７を内側に傾倒し該先倒側板上に重合させる。
【００１３】
そして、この折り畳み状態にては、図９に示されるように、後倒側板７の凸条１４が底板１の対向辺１ａ，１ｃ上から先倒側板３の外面下縁部１７の切欠に亘って収まることから、凸条１４と先倒側板３とが衝突することなく折り畳み高さを充分に小さくすることができる。
【００１４】
【発明の効果】
このように本発明の折り畳みコンテナは、先倒側板の横幅を両後倒側板の内法よりも僅かに狭くすることで該先倒側板の傾倒時の後倒側板の内面との摩擦を軽減させるとともに、該後倒側板の内面の両端縁部に凸条を形成することで先倒側板を起立させたときの該先倒側板の両端縁との隙間が埋められるようにし、前記先倒側板の外面下縁部を長手方向に沿い切欠することで該先倒側板を内側に傾倒したときに該先倒側板の外面下縁部が該先倒側板を軸支する前記底板の対向辺の高さと同等または低くなるように設定し、前記後倒側板を傾倒したとき前記凸条が該底板の対向辺上から該先倒側板の該切欠に亘って収まるようにしたので、組立の容易性、密閉性等を損なうことなく折り畳み時の縮小率が向上し使い勝手が向上する。
また、凸条の下縁内側を傾斜面状または球面状に形成することで先倒側板を起立させる際の引っ掛かりが避けられるようにしたことから、組み立てを一層容易ならしめるなど有益な効果がある。
【図面の簡単な説明】
【図１】本発明に係る折り畳みコンテナの実施形態を示す斜視図。
【図２】図１の折り畳みコンテナの折り畳み途中の斜視図。
【図３】図１の折り畳みコンテナの折り畳み状態の斜視図。
【図４】本発明に係る折り畳みコンテナの実施形態を示す底板の斜視図。
【図５】図１の折り畳みコンテナのＡ−Ａ線断面図。
【図６】図１の折り畳みコンテナのＢ−Ｂ線断面図。
【図７】図１の折り畳みコンテナのＣ−Ｃ線断面図。
【図８】図２の折り畳みコンテナのＤ−Ｄ線断面図。
【図９】図３の折り畳みコンテナのＥ−Ｅ線断面図。
【符号の説明】
１　　　　　　底板
１ａ〜１ｄ　　四側辺
２　　　　　　軸受部
３　　　　　　先倒側板
４　　　　　　支軸
５　　　　　　起立壁
６　　　　　　軸受部
７　　　　　　後倒側板
８　　　　　　支軸
１２　　　　　凹窪面
１３　　　　　係合爪
１４　　　　　凸条
１５　　　　　内向耳片
１６　　　　　透孔
１７　　　　　外面下縁部
１８　　　　　下縁内側
２０　　　　　弾性爪片
【図１】
2004051116.tif 000003
【図２】
2004051116.tif 000004
【図３】
2004051116.tif 000005
【図４】
2004051116.tif 000006
【図５】
2004051116.tif 000007
【図６】
2004051116.tif 000008
【図７】
2004051116.tif 000009
【図８】
2004051116.tif 000010
【図９】
2004051116.tif 000011